(57)【要約】【課題】文書データの編集を行う利用者の利便性を損なうことなく、特殊文字の入力画面への切替を容易にする。【解決手段】携帯電話機１は、特定文字入力モードを選択する入力を受付けたかどうかを判別する。そして、特定文字入力モードを選択する入力を受付けたと判別した場合、携帯電話機１は、特定の種類の文字の一覧を、特定の種類ごとに割当てられたタブに分別して示した一覧画面ＩＣＨを文字入力画面ＷＮＤのうちの一部に表示する。その後、タブを選択する入力を利用者から受付けた場合、携帯電話機１は、該入力に応じたタブを一覧画面から選択して、当該選択したタブに対応する特定の種類の文字の一覧画面を文字入力画面のなかに表示する。【選択図】図２
2010093707.tif 000002
【特許請求の範囲】
【請求項１】
文字を入力するための複数の入力ボタンと、
入力された文字を用いて文章を編集するための編集画面を表示する表示部と、
特定の種類の文字を該種類ごとに分別して記憶する記憶部と、
前記特定の種類の文字を入力する特定文字入力モードに切り替えるための特定モード切替キーを前記表示部に表示させる入力画面制御部と、
前記表示部に表示された特定モード切替キーが利用者によって選択された場合、前記特定の種類の文字を前記記憶部から読み出し、該読み出した特定の種類の文字の該種類毎にそれぞれあらかじめ対応付けられた複数のタブと、該複数のタブの中の任意の第１のタブに対応付けられた種類の文字とを前記表示部に前記編集画面全体を覆わないように表示させる一覧表示制御部とを有し、
前記一覧表示制御部は、前記表示部が表示している複数のタブのうち前記第１のタブ以外の第２のタブが利用者によって選択された場合、前記表示部に表示させる種類の文字を、前記第１のタブに対応付けられた種類の文字から前記第２のタブに対応付けられた種類の文字に切り替える携帯型電子装置。
【請求項２】
請求項１に記載の携帯型電子装置において、
前記選択されたタブに対応付けられた種類の文字の数が、前記表示部に表示できる数を超える場合、該種類の文字の数に対するすでに前記表示部に表示された文字の数の割合である表示完了率を算出し、該表示完了率を示すチャートを生成するチャート算出部を有し、
前記一覧表示制御部は、前記チャートを前記表示部に前記編集画面全体を覆わないように表示させることを特徴とする携帯型電子装置。
【請求項３】
請求項１に記載の携帯型電子装置において、
前記一覧表示制御部は、前記タブを選択するためのタブ選択キーを前記表示部に表示させ、該タブ選択キーが選択された場合、前記表示部に表示させる種類の文字を、現在表示されている種類の文字から該タブ選択キーによって選択されたタブに対応付けられた種類の文字に切り替えることを特徴とする携帯型電子装置。
【請求項４】
請求項３に記載の携帯型電子装置において、
前記記憶部は、前記タブ選択キーと前記複数の入力ボタンのうちあらかじめ設定された入力ボタンとの対応付けを記憶し、
前記一覧表示制御部は、前記タブ選択キーと対応付けられた入力ボタンが押下された場合、該タブ選択キーが選択されたと認識することを特徴とする携帯型電子装置。
【請求項５】
特定の種類の文字を入力する特定文字入力モードに切り替えるための特定モード切替キーを、文字を入力するための複数の入力ボタンを介して入力された文字を用いて文章を編集するための編集画面を表示する表示部に表示させる入力画面制御処理と、
前記表示された特定モード切替キーが利用者によって選択された場合、前記特定の種類の文字の該種類毎にそれぞれあらかじめ対応付けられた複数のタブと、該複数のタブの中の任意の第１のタブに対応付けられた種類の文字とを前記表示部に前記編集画面全体を覆わないように表示させる一覧表示制御処理とを有し、
前記一覧表示制御処理は、前記表示部に表示されている複数のタブのうち前記第１のタブ以外の第２のタブが利用者によって選択された場合、前記表示部に表示させる種類の文字を、前記第１のタブに対応付けられた種類の文字から前記第２のタブに対応付けられた種類の文字に切り替える文字入力画面表示方法。
【請求項６】
請求項５に記載の文字入力画面表示方法において、
前記選択されたタブに対応付けられた種類の文字の数が、前記表示部に表示させることができる数を超える場合、該種類の文字の数に対するすでに前記表示部に表示された文字の数の割合である表示完了率を算出し、該表示完了率を示すチャートを生成するチャート算出処理を有し、
前記一覧表示制御処理は、前記チャートを前記表示部に前記編集画面全体を覆わないように表示させることを特徴とする文字入力画面表示方法。
【請求項７】
請求項５に記載の文字入力画面表示方法において、
前記一覧表示制御処理は、前記タブを選択するためのタブ選択キーを前記表示部に表示させ、該タブ選択キーが選択された場合、前記表示部に表示させる種類の文字を、現在表示されている種類の文字から該タブ選択キーによって選択されたタブに対応付けられた種類の文字に切り替えることを特徴とする文字入力画面表示方法。
【請求項８】
入力された文字を用いて文章を編集するための編集画面を表示する表示部を有する携帯型電子装置に、
特定の種類の文字を入力する特定文字入力モードに切り替えるための特定モード切替キーを前記表示部に表示させる入力画面制御手順と、
前記表示された特定モード切替キーが利用者によって選択された場合、前記特定の種類の文字の該種類毎にそれぞれあらかじめ対応付けられた複数のタブと、該複数のタブの中の任意の第１のタブに対応付けられた種類の文字とを前記表示部に前記編集画面全体を覆わないように表示させる一覧表示制御手順とを実行させ、
前記一覧表示制御手順は、前記表示部に表示されている複数のタブのうち前記第１のタブ以外の第２のタブが利用者によって選択された場合、前記表示部に表示させる種類の文字を、前記第１のタブに対応付けられた種類の文字から前記第２のタブに対応付けられた種類の文字に切り替えるプログラム。
【請求項９】
請求項８に記載のプログラムにおいて、
前記選択されたタブに対応付けられた種類の文字の数が、前記表示部に表示させることができる数を超える場合、該種類の文字の数に対するすでに前記表示部に表示された文字の数の割合である表示完了率を算出し、該表示完了率を示すチャートを生成するチャート算出手順を前記携帯型電子装置に実行させ、
前記一覧表示制御手順は、前記チャートを前記表示部に前記編集画面全体を覆わないように表示させることを特徴とするプログラム。
【請求項１０】
請求項８に記載のプログラムにおいて、
前記一覧表示制御手順は、前記タブを選択するためのタブ選択キーを前記表示部に表示させ、該タブ選択キーが選択された場合、前記表示部に表示させる種類の文字を、現在表示されている種類の文字から該タブ選択キーによって選択されたタブに対応付けられた種類の文字に切り替えることを特徴とするプログラム。
【発明の詳細な説明】
【技術分野】
【０００１】
本発明は、文字や記号の入力を受付ける携帯型電子装置、文字入力画面表示方法およびプログラムに関する。
【背景技術】
【０００２】
近年、携帯電話機などの一般的な携帯型電子装置から電子メールを送信する際、かなや英数字などの一般的な文字以外にも絵文字などの特殊文字が使用できるようになっている。そのため、携帯型電子装置にて入力可能な文字の種類も増大する傾向にある。
【０００３】
一般的に、携帯型電子装置にて特定の種類の文字を入力する方法としては、当該携帯型電子装置にて入力可能な文字の種類（例えば、漢字、カナ、英字、数字、記号、絵文字および動画表示の絵文字など）が割当てられた特定のキーを押下する入力を利用者から受付けるごとに、入力可能な文字の種類を切替える方法が用いられている。
【０００４】
このような方法においては、例えば、図９に示すような文字入力画面を表示しておき、特定のキーＫＹを押下する入力を受付けた場合、入力可能な文字の種類を切替える。例えば、該特定のキーＫＹを1回目に押下した場合には全角記号の入力モードへ切替え、該特定のキーＫＹを２回目に押下した場合には絵文字の入力モードへ切替える。なお、図９に示した例では、文字の種別の変更に伴って、図９内に破線の矩形で示す「現在入力可能な文字の種類」の表示も切替えられる。
【０００５】
また、携帯型電子装置において機能を切替える入力を利用者から受付ける際、当該利用者の利便性を向上させるための技術が提案されている（例えば、特許文献１参照。）。
【０００６】
特許文献１に開示された技術においては、複数の画面により実行可能な処理内容を、該画面それぞれに対応付けられたタブごとに分別して表示する。そして、タブを選択するために設けられた専用の選択キーを用いて利用者から所望のタブが選択された場合、当該タブと対応付けられている処理内容を示す画面に切替えられる。
【特許文献１】特開２００４−０６４２６９号公報
【発明の開示】
【発明が解決しようとする課題】
【０００７】
しかしながら、上述した特定のキーを押下する入力ごとに入力可能な文字の種類を切替える方法においては、入力可能な文字の種類が増大するに伴って、特定のキーに割当てる文字の種類の数も増やす必要がある。
【０００８】
つまり、入力可能な文字の種類の数が多い場合には、利用者が当該特定のキーを押下する回数も多くなってしまい、利用者が入力を所望する文字の種類を選択する際の操作が煩雑となってしまうという問題点がある。
【０００９】
そのため、当該方法に従って所望する文字の種類をスムーズに選択するために、利用者は特定のキーを押下した回数と該回数に対応して入力可能な文字の種類とを経験的に記憶しておかなければならない。しかしながら、入力可能な文字の種類が多くなった場合には、利用者が記憶しておくことは困難なものとなってしまうという問題点がある。
【００１０】
このように限られた数のキーを有する携帯型電子装置にて利用者が入力を所望する機能を選択する操作は、当該利用者に対する利便性を損なうものである。
【００１１】
また、特許文献１に開示された技術を、図９に示したような文書データ編集用の領域ＥＤＴを表示しつつ文字の種類の変更を行う必要がある文字入力画面に単純に適用した場合、文書データ編集用の領域ＥＤＴも処理内容を示す画面へ切替えられてしまい、利用者に対する利便性が損なわれてしまうという問題点がある。
【００１２】
本発明は、上述した課題を解決する携帯型電子装置、文字入力画面表示方法およびプログラムを提供することを目的とする。
【課題を解決するための手段】
【００１３】
上記課題を解決するために、本発明の携帯型電子装置は、文字を入力するための複数の入力ボタンと、入力された文字を用いて文章を編集するための編集画面を表示する表示部と、特定の種類の文字を該種類ごとに分別して記憶する記憶部と、前記特定の種類の文字を入力する特定文字入力モードに切り替えるための特定モード切替キーを前記表示部に表示させる入力画面制御部と、前記表示部に表示された特定モード切替キーが利用者によって選択された場合、前記特定の種類の文字を前記記憶部から読み出し、該読み出した特定の種類の文字の該種類毎にそれぞれあらかじめ対応付けられた複数のタブと、該複数のタブの中の任意の第１のタブに対応付けられた種類の文字とを前記表示部に前記編集画面全体を覆わないように表示させる一覧表示制御部とを有し、前記一覧表示制御部は、前記表示部が表示している複数のタブのうち前記第１のタブ以外の第２のタブが利用者によって選択された場合、前記表示部に表示させる種類の文字を、前記第１のタブに対応付けられた種類の文字から前記第２のタブに対応付けられた種類の文字に切り替える。
【００１４】
上記課題を解決するために、本発明の文字入力画面表示方法は、特定の種類の文字を入力する特定文字入力モードに切り替えるための特定モード切替キーを、文字を入力するための複数の入力ボタンを介して入力された文字を用いて文章を編集するための編集画面を表示する表示部に表示させる入力画面制御処理と、前記表示された特定モード切替キーが利用者によって選択された場合、前記特定の種類の文字の該種類毎にそれぞれあらかじめ対応付けられた複数のタブと、該複数のタブの中の任意の第１のタブに対応付けられた種類の文字とを前記表示部に前記編集画面全体を覆わないように表示させる一覧表示制御処理とを有し、前記一覧表示制御処理は、前記表示部に表示されている複数のタブのうち前記第１のタブ以外の第２のタブが利用者によって選択された場合、前記表示部に表示させる種類の文字を、前記第１のタブに対応付けられた種類の文字から前記第２のタブに対応付けられた種類の文字に切り替える。
【００１５】
また、コンピュータに実行させるプログラムであって、入力された文字を用いて文章を編集するための編集画面を表示する表示部を有する携帯型電子装置に、特定の種類の文字を入力する特定文字入力モードに切り替えるための特定モード切替キーを前記表示部に表示させる入力画面制御手順と、前記表示された特定モード切替キーが利用者によって選択された場合、前記特定の種類の文字の該種類毎にそれぞれあらかじめ対応付けられた複数のタブと、該複数のタブの中の任意の第１のタブに対応付けられた種類の文字とを前記表示部に前記編集画面全体を覆わないように表示させる一覧表示制御手順とを実行させ、前記一覧表示制御手順は、前記表示部に表示されている複数のタブのうち前記第１のタブ以外の第２のタブが利用者によって選択された場合、前記表示部に表示させる種類の文字を、前記第１のタブに対応付けられた種類の文字から前記第２のタブに対応付けられた種類の文字に切り替える。
【発明の効果】
【００１６】
本発明によれば、文字を入力するための複数の入力ボタンを有する携帯型電子装置は、入力された文字を用いて文章を編集するための編集画面を表示部に表示する。また、携帯型電子装置は、特定の種類の文字を該種類ごとに分別して記憶する。さらに、携帯型電子装置は、特定の種類の文字を入力する特定文字入力モードに切り替えるための特定モード切替キーを表示させる。そして、携帯型電子装置は、表示部に表示された特定モード切替キーが利用者によって選択された場合、特定の種類の文字を記憶しているうちから読み出し、該読み出した特定の種類の文字の該種類毎にそれぞれあらかじめ対応付けられた複数のタブと、該複数のタブの中の任意の第１のタブに対応付けられた種類の文字とを編集画面全体を覆わないように表示部に表示させる。そして、携帯型電子装置は、表示部に表示している複数のタブのうち第１のタブ以外の第２のタブが利用者によって選択された場合、該表示部に表示させる種類の文字を、第１のタブに対応付けられた種類の文字から第２のタブに対応付けられた種類の文字に切り替える。
【００１７】
このような構成としたため、小型化の要求によって配列されるキーの数が制限されてしまう携帯型電子装置にて利用者が絵文字や記号などの特定の種類の文字を入力する場合でも、携帯型電子装置が具備する画面に表示されている文書データの編集を行う利用者の利便性を損なうことなく、当該特定の種類の文字の入力を受付けるための画面へ容易に切替えることができる。
【発明を実施するための最良の形態】
【００１８】
（実施形態１）
以下、本発明の実施形態に従った携帯型電子装置（文字入力画面表示方法およびプログラムを含む）を説明する。
【００１９】
この説明例では、本発明の携帯型電子装置が携帯電話機１である場合を例に挙げて説明するが、本発明の携帯型電子装置は、例えば、ＰＤＡ（Personal Digital Assistants）などの任意の携帯型電子装置であってもよい。
【００２０】
図１に示すように、携帯電話機１は、文字の入力を利用者から受付可能に構成された携帯型電子装置であり、入力部１５と、表示部１６と、マイク１７と、スピーカ１８と、を備える。入力部１５、表示部１６、マイク１７およびスピーカ１８についての説明は、図２を参照して後述する。
【００２１】
つぎに、図１に示した携帯電話機１の構成を説明する。
【００２２】
図２に示すように、図１に示した携帯電話機１は、上述した入力部１５、表示部１６、マイク１７およびスピーカ１８以外に、制御部１１と、ＲＯＭ（Read Only Memory）１２と、ＲＡＭ（Random Access Memory）１３と、通信部１４と、バス１９とを備える。
【００２３】
制御部１１は、ＲＯＭ１２、ＲＡＭ１３、通信部１４と、入力部１５、表示部１６、マイク１７およびスピーカ１８との間でバス１９を介して各種の信号を入出力することにより、携帯電話機１全体の動作を制御する役割を果たす。
【００２４】
また、制御部１１は、一般的な電子メール機能を有している。つまり、制御部１１は、通信部１４が外部から受信した電子メールを読出す処理、電子メールを新規に作成する処理、ＲＡＭ１３などに記憶させた電子メールを読出す処理、電子メールが残っていないかどうかを携帯電話機１が接続されているネットワーク（図示せず）を介してメールサーバ（図示せず）に問合わせる処理などを行う。
【００２５】
また、この説明例においては、制御部１１は、文字の入力を利用者から受付ける際の各動作を制御する文字入力制御部１１Ａと、当該文字の入力以外に関する各動作を制御する他動作制御部１１Ｂと、デコーダ／エンコーダ１１Ｃとを有する。
【００２６】
なお、この説明例においては、文字入力制御部１１Ａおよび他動作制御部１１Ｂそれぞれは、各動作の制御を行う際、ＲＯＭ１２、ＲＡＭ１３、通信部１４と、入力部１５、表示部１６、マイク１７およびスピーカ１８との間で、バス１９を介して当該各動作の制御を行うための信号を入出力する。
【００２７】
また、文字入力制御部１１Ａは、図３に示すように、一覧指示判別部１１１と、入力画面制御部１１２と、モード識別部１１３と、一覧表示制御部１１４と、タブ選択部１１５と、文字選択部１１６と、チャート算出部１１７と、確定部１１８とを有する。
【００２８】
一覧指示判別部１１１は、文書データ（例えば、電子メールの本文など）の編集を行う入力を入力部１５が利用者から受付けたかどうかを判別する。なお、一覧指示判別部１１１は、文書データの編集を行う入力を受付けたと判別した場合、文字入力画面ＷＮＤの表示を指示するための「編集指示」を入力画面制御部１１２へ出力する。
【００２９】
また、一覧指示判別部１１１は、文書データの編集を行う入力を受付けたと判別した後、当該編集を終了する入力を入力部１５が利用者から受付けたかどうかを判別する。なお、一覧指示判別部１１１は、文書データの編集を終了する入力を受付けたと判別した場合、文字入力画面ＷＮＤの表示の終了を指示するための「編集終了指示」を入力画面制御部１１２へ出力する。
【００３０】
一覧指示判別部１１１は、文書データの編集を行う入力を受付けたと判別した場合、「絵文字・記号入力モードＭＯＤ」を選択する入力を入力部１５が利用者から受付けたかどうかを判別する。なお、一覧指示判別部１１１は、絵文字・記号入力モードＭＯＤを選択する入力を受付けたと判別した場合、一覧画面ＩＣＨの表示を指示するための「一覧表示指示」を一覧表示制御部１１４へ出力する。
【００３１】
ここで、絵文字・記号入力モードＭＯＤとは、「特定の種類の文字」（この例では、絵文字や記号など）を入力するためのモードである「特定文字入力モード」である。
【００３２】
また、一覧指示判別部１１１は、絵文字・記号入力モードＭＯＤを選択する入力を入力部１５が利用者から受付けたと判別した後、当該絵文字・記号入力モードＭＯＤを終了する入力を入力部１５が利用者から受付けたかどうかを判別する。なお、一覧指示判別部１１１は、絵文字・記号入力モードＭＯＤを終了する入力を受付けたと判別した場合、一覧画面ＩＣＨの表示の終了を指示するための「一覧表示終了指示」を一覧表示制御部１１４へ出力する。
【００３３】
入力画面制御部１１２は、一覧指示判別部１１１から一覧表示制御部１１４へ一覧表示指示が出力されてきていない状態で、一覧指示判別部１１１から編集指示が出力されてきた場合、図４に示す文字入力画面ＷＮＤの画像データをＲＯＭ１２から読出し、該文字入力画面ＷＮＤの画像データを表示部１６へ出力する。
【００３４】
なお、この説明例においては、図４に示した文字入力画面ＷＮＤは、編集領域ＥＤＴと、機能領域ＦＮＣと、ガイダンス領域ＧＤＮとから構成されている。
【００３５】
ここで、編集領域ＥＤＴは、文書データ（例えば、電子メールの本文）に記述する文字として確定された文字を示す領域である。
【００３６】
また、機能領域ＦＮＣは、ソフトキーＳＦ１〜ＳＦ５それぞれに割当てられた機能を表示する領域である。
【００３７】
なお、図４に示した例においては、ソフトキーＳＦ１（「文字」）には、絵文字・記号入力モードＭＯＤにて入力可能な文字の種類以外の文字の入力モードを変更する機能が割当てられている。この説明例では、ソフトキーＳＦ１によって切り替えることが可能な文字入力モードが、「漢字入力モード」と、「カタカナ入力モード」と、「英字入力モード」と、「数字入力モード」とである場合を例に挙げて説明する。
【００３８】
また、ソフトキーＳＦ２（「ＭＵＬＴＩ」）には、文書データの編集（電子メールの本文の作成）機能を起動した状態のまま、他のアプリケーションを起動する機能が割当てられている。
【００３９】
また、ソフトキーＳＦ３（「絵記」）には、絵文字・記号入力モードＭＯＤの選択を指示したり、当該絵文字・記号入力モードＭＯＤの終了を指示したりする機能が割当てられている。
【００４０】
当該ソフトキーＳＦ３は、「特定文字入力モード」に切替えるための「特定モード切替キー」である。
【００４１】
また、ソフトキーＳＦ４（「機能」）には、文書データ（例えば、電子メールの本文）の編集の際に使用することが可能な他機能のメニューの呼出機能が割当てられている。
【００４２】
また、ソフトキーＳＦ５（「確定」）に、入力された文書データ（例えば、電子メールの本文）全体を確定し、当該文書データの入力を終了させる機能が割当てられている。
【００４３】
なお、ソフトキーＳＦ１〜ＳＦ５は、図１に示したボタンＢ１〜Ｂ５とそれぞれ対応しており、例えば、ボタンＢ１が押下されるとソフトキーＳＦ１が選択される。
【００４４】
また、ガイダンス領域ＧＤＮは、現在の文字入力モードを示すガイダンスなどを表示する領域である。この説明例では、ガイダンス領域ＧＤＮには、絵文字・記号入力モードＭＯＤにて入力可能な種類以外の種類の文字の入力モード（例えば、漢字入力モード、カナ入力モードまたは数字入力モードなど）が表示される。
【００４５】
なお、図４に示した例では、当該ガイダンス領域ＧＤＮのなかに、制御部１１が有する時計機能により現在時刻（「１０：３０」）が表示されているが、ガイダンス領域ＧＤＮにおける現在時刻の表示の有無は任意でよい。
【００４６】
また、入力画面制御部１１２は、一覧指示判別部１１１から編集終了指示が出力されてきた場合、文字入力画面ＷＮＤの画像データの表示を終了させる信号を表示部１６へ出力する。
【００４７】
また、入力画面制御部１１２は、モード識別部１１３が入力モードを識別して出力してきた場合、表示部１６に対して、ガイダンス領域ＧＤＮに現在表示している入力モード（図４の例では、「漢字全角」の入力モード）に代えて、モード識別部１１３が出力してきた入力モードを表示させる信号を出力する。
【００４８】
モード識別部１１３は、入力モードを変更する入力を受付けた旨が入力部１５から出力されてきた場合、該変更された入力モードを識別する。そして、モード識別部１１３は、該識別した入力モードを入力画面表示部１１３へ出力する。なお、図４に示した文字入力画面ＷＮＤを表示部１６が表示している間に、ソフトキーＳＦ１（文字）に対応するボタンＢ１を利用者が押下した場合、入力部１５は、絵文字・記号入力モードＭＯＤにて入力可能な種類以外の種類の文字の入力モードを変更する入力を該利用者から受付ける。
【００４９】
一覧表示制御部１１４は、一覧指示判別部１１１から一覧表示指示が出力されてきた場合、図４に示した文字入力画面ＷＮＤに含まれる図５に示す一覧領域ＬＳＴに表示させる一覧画面ＩＣＨの画像データを、表示部１６へ出力する。
【００５０】
なお、この説明例では、一覧表示制御部１１４は、一覧指示判別部１１１から一覧表示指示が出力されてきた際、タブＴＢ１が選択された状態である図５に示した一覧画面ＩＣＨを表示部１６に表示させる。
【００５１】
なお、この場合において、タブＴＢ１は、「任意の第１のタブ」に相当する。また、タブＴＢ１を除いた残りのタブＴＢ２〜ＴＢ６は、第１のタブ以外の「第２のタブ」に相当する。
【００５２】
また、一覧表示制御部１１４は、一覧画面ＩＣＨを表示部１６が表示している間、一覧指示判別部１１１から一覧表示終了指示が出力されてきた場合、一覧画面ＩＣＨの表示を終了させる信号を表示部１６へ出力する。
【００５３】
なお、ここでいう「一覧画面ＩＣＨ」とは、絵文字・記号入力モードＭＯＤ（特定文字入力モード）において入力可能な文字の種類の一覧（例えば、絵文字の一覧や記号の一覧）それぞれを、当該種類に応じたタブごとに分別して示した画面である。
【００５４】
図５に示した例では、一覧画面ＩＣＨが表示される一覧領域ＬＳＴが、図４に示した文字入力画面ＷＮＤにてガイダンス領域ＧＤＮと編集領域ＥＤＴの一部とが配置されていた位置と同じ位置に配置されている。しかしながら、文字入力画面ＷＮＤにおいて一覧領域ＬＳＴを配置する位置は任意でよい。
【００５５】
ただし、文書データを編集する利用者に対する利便性を考慮して、一覧画面ＩＣＨを表示する領域は、「編集領域ＥＤＴ全体と重複しない領域」とすることが望ましい。
【００５６】
なお、図５に示した一覧領域ＬＳＴに表示された一覧画面ＩＣＨは、絵文字・記号入力モードＭＯＤにおいて入力可能な絵文字や記号それぞれの一覧を分別するための、該一覧にそれぞれ対応するタブＴＢ１〜ＴＢ６を含んでいる。
【００５７】
図５に示した例では、タブＴＢ１（「絵」）は、キャラクタの絵文字の一覧に対応するタブである。
【００５８】
また、タブＴＢ２（「デコメ」）は、キャラクタによって構成された動画（以下、「デコレーションメールの絵文字」という）、例えば、アニメーションＧＩＦなどの画像の一覧に対応するタブである。
【００５９】
また、タブＴＢ３（「全記」）は、マルチバイト（いわゆる全角）のデータで構成された全角記号の一覧に対応するタブである。
【００６０】
また、タブＴＢ４（「半記」）は、シングルバイト（いわゆる半角）のデータで構成された半角記号の一覧に対応するタブである。
【００６１】
また、タブＴＢ５（「顔」）は、全角記号や半角記号などを組合わせて構成した特定の意味を有する文字列（以下、「顔文字」という）の一覧に対応するタブである。顔文字としては、例えば、（＾−＾）といったような記号で構成される文字列などが挙げられる。
【００６２】
また、タブＴＢ６（「ＵＲＬ」）は、携帯電話機１を用いてインターネットへ接続する際に指定されるＵＲＬ（Uniform Resource Locator）において使用頻度が高い定型文（例えば、「ｈｔｔｐ：／／」や「ｃｏ.ｊｐ」など）の一覧に対応するタブである。なお、ＵＲＬは、通信部１４が通信を行う通信先を指定するための通信先指定情報である。
【００６３】
また、一覧画面ＩＣＨのなかには、現在選択されている絵文字や記号を指し示すためのカーソルＣＳＲが表示されている。
【００６４】
また、一覧表示制御部１１４は、一覧画面ＩＣＨを表示部１６が表示している間、タブ選択部１１５から通知されたタブに対応する絵文字や記号の一覧のデータをＲＯＭ１２から読出し、該一覧のデータを表示部１６へ出力する。すると、表示部１６は、一覧画面ＩＣＨのなかに、一覧表示制御部１１４から出力されてきた一覧を表示する。
【００６５】
より具体的には、表示部１６が図５に示した文字入力画面ＷＮＤを表示している間、タブ選択部１１５からタブＴＢ２（デコメ）が通知された場合、一覧表示制御部１１４は、当該タブＴＢ２に対応する「デコレーションメールの絵文字」の一覧のデータをＲＯＭ１２から読出して、該データを表示部１６へ出力する。すると、表示部１６は、図６に示すように、デコレーションメールの絵文字の一覧を含む一覧画面ＩＣＨを文字入力画面ＷＮＤのなかに表示する。
【００６６】
また、例えば、タブ選択部１１５からタブＴＢ３（全記）が通知された場合、一覧表示制御部１１４は、当該タブＴＢ３に対応する「全角記号」の一覧のデータをＲＯＭ１２から読出して、該データを表示部１６へ出力する。すると、表示部１６は、図７に示すように、全角記号の一覧を含む一覧画面ＩＣＨを文字入力画面ＷＮＤのなかに表示する。
【００６７】
また、図７に示した履歴領域ＨＳＴは、入力部１５が以前に利用者から確定する入力を受付けた全角記号の入力履歴を示す領域である。該入力履歴の表示により、使用頻度の高い文字（図７の例では、全角記号）の入力が利用者にとって容易になる。
【００６８】
なお、文字選択部１１６は、履歴領域ＨＳＴに示された文字または選択されているタブに対応して分別された一覧に示されている絵文字や記号のうちから、入力部１５が利用者から受付けたカーソルＣＳＲを移動する入力に応じた文字を選択する。そして、ソフトキーＳＦ５に対応付けられた機能を実行する入力を受付けるボタンＢ５が押下された場合、入力部１５は、選択している文字を確定する入力を利用者から受付ける。
【００６９】
タブ選択部１１５は、タブＴＢ１〜ＴＢ６のうちのいずれかが選択されている場合、ソフトキーＳＦ１に対応するボタンＢ１を押下する入力を入力部１５が利用者から受付けると、該選択されているタブ（図５の例では、タブＴＢ１）の左側に配置されているタブ（タブＴＢ６）を選択する。
【００７０】
また、タブ選択部１１５は、タブＴＢ１〜ＴＢ６のうちのいずれかが選択されている場合、ソフトキーＳＦ３に対応するボタンＢ３を押下する入力を入力部１５が利用者から受付けると、該選択されているタブ（図５の例では、タブＴＢ１）の右側に配置されているタブ（タブＴＢ２）を選択する。
【００７１】
ソフトキーＳＦ１またはＳＦ３における押下方向（「←」または「→」）の表示により、利用者は、タグＴＢ１〜ＴＢ６を選択する際、ボタンＢＴ１またはＢＴ３の押下により左右いずれかの移動が可能であることを、直感的に理解することが容易となる。
【００７２】
ここで、絵文字・記号入力モードＭＯＤ（特定文字入力モード）にて表示されるソフトキーＳＦ１（←）およびＳＦ３（→）は、「タブ選択キー」である。
【００７３】
また、タブ選択部１１５は、選択したタブを一覧表示制御部１１４とチャート算出部１１７とへ通知する。
【００７４】
なお、表示部１６が、一覧画面ＩＣＨのうちでタブＴＢ１〜ＴＢ６それぞれが表示される位置と同じ位置に配設されたタッチパネルを具備するように構成されている場合、タブ選択部１１５は、表示部１６が具備するタッチパネルを押下する入力を利用者から受付けた際に、該タッチパネルと同じ位置に表示されているタブを選択する。
【００７５】
文字選択部１１６は、一覧画面ＩＣＨを表示部１６が表示している間、上下左右いずれかの方向に押下することが可能な四方向ボタンＤＩＲを押下する入力を入力部１５が利用者から受付けた場合、該押下された方向に応じて、一覧画面ＩＣＨのなかに示されているうちから絵文字や記号を選択する。
【００７６】
例えば、四方向ボタンＤＩＲを左方向に押下する入力を入力部１５が利用者から受付けた場合、文字選択部１１６は、一覧画面ＩＣＨにおいて現在選択されている文字の左隣に表示されている文字を選択する。
【００７７】
チャート算出部１１７は、文字選択部１１６が選択している文字に対応して、「表示完了率ＲＴ」を算出する。さらに、チャート算出部１１７は、算出した表示完了率ＲＴを示すチャートの画像を生成し、該チャートの画像を一覧表示制御部１１４へ出力する。すると、一覧表示制御部１１４は、チャート算出部１１７が出力してきたチャートの画像を表示部１６に表示させる。
【００７８】
ここでいう「表示完了率ＲＴ」とは、一覧画面ＩＣＨのうちからタブ選択部１１５が現在選択しているタブに含まれている絵文字の総数または記号の総数に対して、一覧表示制御部１１４が表示部１６にすでに表示させた絵文字の数または記号の数が占める割合のことを指す。
【００７９】
例えば、タブＴＢ３（全角記号）に対応する文字の種類の一覧に含まれている記号の総数が１００個であり、そのうちの５０個の記号を一覧表示制御部１１４が表示部１６にすでに表示させた場合、表示完了率ＲＴは５０／１００＝０．５である。
【００８０】
「表示完了率ＲＴ」を算出する方法については特に限定しないが、この説明例では、チャート算出部１１７は、タブ選択部１１５が現在選択しているタブに対応する文字の種類の一覧に属する文字の総数を算出する。また、チャート算出部１１７は、タブ選択部１１５が選択しているタブに対応する種類に属する文字に、該種類の一覧に配列されている順番と同じ値の連続番号を付与する。そして、チャート算出部１１７は、該種類の一覧から文字選択部１１６が選択している文字に付与した連続番号を、上述した該種類の一覧に属する文字の総数で除算して得られた値を、表示完了率ＲＴとして決定する。
【００８１】
なお、チャート算出部１１７が生成するチャートの画像は任意でよい。例えば、タブ選択部１１５が選択中のタブに含まれている絵文字や記号の総数に対応する面積を有する円に、表示完了率ＲＴの値に応じて円周方向に領域を決定する扇形を同心円状に重畳して表した円グラフのチャートでもよい。
【００８２】
この説明例では、チャート算出部１１７が生成するチャートの画像が、タブ選択部１１５が選択中のタブに含まれている絵文字や記号の総数に対応する面積を有する矩形に、表示完了率ＲＴの値に応じて該矩形の端部から長手方向に領域が増大または減少する矩形を重畳して表したバーチャートＢＡＲである場合を例に挙げて説明する。
【００８３】
図７の例では、図７中に示したスクロールバーＳＣＲが、タブ選択部１１５が選択中のタブＴＢ３に含まれている絵文字や記号の総数に対応する面積を有する矩形を表している。また、図７中に示した黒い部分が、表示完了率ＲＴの値に応じて増大する矩形を表している。タブＴＢ３（全記）が割当てられた一覧に含まれている文字（この例では、全角記号）すべてをリスト領域ＬＳＴ内に表示できる場合、スクロールバーＳＣＲがバーチャートＢＡＲによりすべて覆われる。
【００８４】
なお、一覧画面ＩＣＨが表示されている際に、下方向へスクロールする入力を四方向ボタンＤＩＲを介して入力部１５が利用者から受け付けた場合、バーチャートＢＡＲの領域（黒い部分）もスクロールバーＳＣＲ上の下方向へ増大する。これにより、選択中のタブＴＢ３に含まれている一覧のなかのどの位置に配列されている文字が表示されているかを利用者が直感的に認識し易くなる。
【００８５】
このように、チャート算出部１１７が算出した表示完了率ＲＴを示すバーチャートＢＡＲの画像を表示することにより、タブ選択部１１５が選択しているタブに対応する絵文字や記号の一覧に含まれている絵文字や記号の数がリスト領域ＬＳＴに表示可能な絵文字や記号の数よりも多い場合であっても、選択中の一覧に含まれている文字すべてを表示する入力を利用者が四方向ボタンＤＩＲを直接操作して行うことなしに、選択中のタブＴＢ３に含まれている一覧のなかのどの位置に配列されている文字が表示されているかを利用者が直感的に認識し易くなる。
【００８６】
確定部１１８は、一覧画面ＩＣＨのうちから文字選択部１１６が絵文字や記号を選択している際に、該絵文字や記号を文書データのなかに記述する文字として確定する入力を入力部１５が利用者から受付けた場合、文字選択部１１６が選択している絵文字や記号を文字入力画面ＷＮＤ内の編集領域ＥＤＴへ表示する絵文字や記号として決定する。
【００８７】
そして、確定部１１８は、文字入力画面ＷＮＤ内の編集領域ＥＤＴへ表示すると決定した絵文字や記号を表示部１６へ出力する。すると、表示部１６は、確定部１１８から出力されてきた絵文字や記号を、文字入力画面ＷＮＤ内の編集領域ＥＤＴへ表示する。
【００８８】
図２に示した他動作制御部１１Ｂは、文字入力制御部１１Ａによって制御される各動作以外の動作の制御、つまり、文字の入力以外に関する各動作の制御を行う。
【００８９】
デコーダ／エンコーダ１１Ｃは、文字入力制御部１１Ａまたは他動作制御部１１Ｂから出力された信号をバス１９へ出力するための形式の信号（例えば、アドレスやデータ）へ変換（エンコード）する。
【００９０】
また、デコーダ／エンコーダ１１Ｃは、バス１９から入力された信号を、文字入力制御部１１Ａまたは他動作制御部１１Ｂへ出力するための形式の信号へ変換（デコード）する。
【００９１】
ＲＯＭ１２は、任意のデータを記憶する「記憶部」である。
【００９２】
ＲＯＭ１２は、例えば、制御部１１が各種の制御（例えば、通信制御や省電力制御）を行うためのプログラムや、電子メール作成用アプリケーションを記憶する。
【００９３】
また、ＲＯＭ１２は、利用者が文字を入力するための文字入力画面ＷＮＤを示す画像データを記憶している。
【００９４】
また、ＲＯＭ１２は、絵文字・記号入力モードＭＯＤにおいて表示される一覧画面ＷＮＤを示す画像データを記憶している。
【００９５】
また、ＲＯＭ１２は、当該携帯電話機１において利用者が入力可能な文字（特定の種類の文字を含む）それぞれを示すデータを、分別して記憶している。
【００９６】
ここで、利用者が入力可能な文字の種類については、特に限定しない。ここでは、当該入力可能な文字の種類が、ひらがなと、カタカナと、漢字と、絵文字と、動画の絵文字と、記号とである場合を例に挙げて説明する。
【００９７】
さらに、ＲＯＭ１２（記憶部）は、タブ選択キーと複数の入力ボタンのうちあらかじめ設定された入力ボタンとを対応付けて記憶している。なお、一覧表示制御部１１４は、タブ選択キーと対応付けられた入力ボタンが押下された場合、該タブ選択キーが選択されたと認識する。
【００９８】
さらに、ＲＯＭ１２は、スピーカ１８によって出力される各種メロディの音声データなどを記憶する。
【００９９】
ＲＡＭ１３は、任意のデータを記憶する「記憶部」である。
【０１００】
ＲＡＭ１３は、例えば、入力部１５が利用者から入力を受付けたデータを記憶する。また、ＲＡＭ１３は、携帯電話機１へ外部から送信されてきた電子メールを記憶するとともに、制御部１１が処理を実行するときの作業用領域としても利用される。
【０１０１】
通信部１４は、携帯電話機１とその通信先となる外部の端末装置とを通信可能に接続し、当該外部の端末装置（図示せず）との間で任意のデータを送受信する。
【０１０２】
例えば、通信部１４は、編集された本文を含む電子メールを、外部の端末装置（図示せず）へ送信する。
【０１０３】
入力部１５は、各種のキー（テンキーＴＥＮ、ソフトキーＴＢ１〜ＴＢ５にそれぞれ対応するボタンＢＴ１〜ＢＴ５、携帯電話機１を閉じた際に外側に配置されるキー）を有し、利用者が当該キーを用いて行う操作に応じて、データの入力を受付ける。そして、入力部１５は、入力を受付けたデータを制御部１１へ出力する。
【０１０４】
また、入力部１５が具備するテンキーＴＥＮの各キーは、かなや英数字などがそれぞれ割当てられているものである。つまり、入力部１５は、絵文字・記号入力モードＭＯＤ以外の文字入力モードが選択されている際、文字入力画面ＷＮＤのなかの編集領域ＥＤＴへ利用者が所望する文字を選択して確定する入力を、テンキーＴＥＮを介して受付ける。
【０１０５】
また、入力部１５は、絵文字・記号入力モードＭＯＤの際に一覧画面ＩＣＨのなかに示されている絵文字や記号のなかから利用者が所望する文字を選択する入力を、上下左右いずれかの方向への押下が可能な四方向ボタンＤＩＲを介して受付ける。なお、画面表示制御部１１４は、四方向ボタンＤＩＲを押下する方向に対応して、図５に示したカーソルＣＳＲを移動させて表示する。
【０１０６】
また、入力部１５のうちボタンＢ１〜Ｂ５は、携帯電話機１が動作する動作モードに応じて、押下されたときの処理が変化するものである。
【０１０７】
つまり、入力部１５は、ボタンＢ１〜Ｂ４それぞれを介して、図４に示したソフトキーＳＦ１〜ＳＦ４それぞれに対応付けられている機能を実行する入力を利用者から受付ける。
【０１０８】
また、入力部１５は、四方向ボタンＤＩＲの内側に同心円状に配置されているボタンＢ５を介して、ソフトキーＳＦ５に対応付けられている機能を実行する入力を利用者から受付ける。例えば、図４に示したように文字入力画面ＷＮＤにおいてソフトキーＳＦ５として「確定」が表示されている際にボタンＢ５を押下された場合、入力部１５は、選択されている文字を本文のなかに記述する文字として確定する入力を利用者から受付ける。
【０１０９】
表示部１６は、任意のデータを表示するものであり、例えば、入力部１５を介して入力を受付けた文字を表示する。
【０１１０】
また、表示部１６は、文字入力制御部１１Ａから出力されてきた文字入力画面ＷＮＤや一覧画面ＩＣＨを表示する。
【０１１１】
なお、表示部１６は、タッチパネル機能を有するものであってもよい。その場合、表示部１６は、外部から情報を入力するための入力部１５としての役割も果たす。
【０１１２】
マイク１７は、通話時の音声を入力する。スピーカ１８は、通話時の通話先の音声を放音する。
【０１１３】
バス１９は、上述した各構成要素を相互に接続する。なお、図２には、各構成要素がバス１９を介して互いに接続された構成を例に挙げて説明したが、必要に応じて各構成要素間が互いに個別線で接続されているものであってもよい。
【０１１４】
つぎに、上述した構成を有する携帯電話機１が、文字の入力を利用者から受付けた際の動作について、図８に示すフローチャートを参照して説明する。
【０１１５】
以下では、利用者が携帯電話機１を用いて、電子メールの本文を編集するため文字を入力する場合を例に挙げて説明する。
【０１１６】
携帯電話機１において、電子メール機能の起動指示と、新規メールを作成する指示（つまり、文書データの編集指示）とを入力部１５が利用者から受付けると、一覧指示判別部１１１は、文字入力画面ＷＮＤの表示を指示するための編集指示を入力画面制御部１１２へ出力する。
【０１１７】
すると、入力画面制御部１１２は、図４に示した文字入力画面ＷＮＤの画像データをＲＯＭ１２から読出し、該画像データを表示部１６へ出力する。
【０１１８】
すると、表示部１６は、入力画面制御部１１２から出力されてきた図４に示した文字入力画面ＷＮＤの画像データを表示する（ステップＳ１）。
【０１１９】
なお、ステップＳ１にて、図４に示した文字入力画面ＷＮＤを表示部１６が表示している間、入力部１５は、ひらがな、カタカナ、漢字などを選択する入力を利用者から受付可能な状態にある。また、このとき、入力部１５は、絵文字・記号入力モードＭＯＤを選択する入力を利用者から受付可能な状態にある。
【０１２０】
図４に示した文字入力画面ＷＮＤを表示部１６が表示している間に、利用者が所望する文字種を入力する文字入力モードを選択する入力と、該選択した文字入力モードにて文字を選択する入力とを入力部１５が利用者から受付けた場合、文字選択部１１６は、入力部１５が文字選択入力を受付けた文字を選択する（ステップＳ２）。
【０１２１】
その後、図４に示した文字入力画面ＷＮＤのなかから文字選択部１１６が文字を選択している間に、該文字を本文のなかに記述する文字として確定する入力を入力部１５が利用者から受付けた場合、確定部１１８は、文字選択部１１６が選択している文字を文字入力画面ＷＮＤ内の編集領域ＥＤＴへ表示する絵文字や記号として決定する（ステップＳ３）。
【０１２２】
すると、表示部１６は、ステップＳ３にて確定部１１８が決定した文字を、図４に示した文字入力画面ＷＮＤ内の編集領域ＥＤＴへ表示する。
【０１２３】
また、一覧指示判別部１１１は、絵文字・記号入力モードＭＯＤを選択する入力を入力部１５が利用者から受付けたかどうかを判別している（ステップＳ４）。
【０１２４】
この説明例では、図４に示した文字入力画面ＷＮＤが表示されている際に、ソフトキーＳＦ３（絵記）に対応する機能の実行を指示するボタンＢ３を利用者が押下した場合、一覧指示判別部１１１は、入力部１５が絵文字・記号入力モードＭＯＤを選択する入力を利用者から受付けたと判別する。
【０１２５】
絵文字・記号入力モードＭＯＤを選択する入力を受付けたと判別した場合、一覧指示判別部１１１は、一覧画面ＩＣＨの表示を指示するための一覧表示指示を一覧表示制御部１１４へ出力する。
【０１２６】
すると、一覧表示制御部１１４は、図５に示した一覧画面ＩＣＨの画像データをＲＯＭ１２から読出し、該画像データを表示部１６へ出力する。
【０１２７】
すると、表示部１６は、現在表示している文字入力画面ＷＮＤのなかの一覧領域ＬＳＴに、絵文字・記号入力モードＭＯＤにて入力可能な「特定の文字の種類」（例えば、絵文字や記号）それぞれの一覧をタブごとに分別して示した一覧画面ＩＣＨを表示する（ステップＳ５）。この場合、表示部１６によって表示されている画面は、図５に示した文字入力画面ＷＮＤである。
【０１２８】
なお、ステップＳ５にて一覧画面ＩＣＨを表示部１６が表示しており、タブＴＢ１〜ＴＢ６のうちのいずれかが選択されている間、タブ選択部１１５は、ソフトキーＳＦ１に対応するボタンＢ１とソフトキーＳＦ３に対応するボタンＢ３とのどちらか一方を押下する入力を入力部１５が利用者から受付けたかどうかを判別している。
【０１２９】
そして、タブ選択部１１５は、ボタンＢ１またはＢ３を押下する入力を受付けたと判別した場合、現在選択しているタブに対して当該押下されたボタンＢ１またはＢ３に対応して定められた方向に隣接しているタブを選択する（ステップＳ６）。また、タブ選択部１１５は、選択したタブを一覧表示制御部１１４へ通知する。
【０１３０】
すると、一覧表示制御部１１４は、タブ選択部１１５から通知されたタブに対応する絵文字や記号の一覧のデータをＲＯＭ１２から読出し、該一覧のデータを表示部１６へ出力する。すると、表示部１６は、タブ選択部１１５が一覧表示制御部１１４へ通知したタブに対応する絵文字や記号の一覧を示す一覧画面ＩＣＨを表示する。
【０１３１】
例えば、表示部１６がタブＴＢ１に対応する図５に示した一覧画面ＩＣＨを表示している間、タブ選択部１１５が一覧表示制御部１１４へタブＴＢ２を通知した場合、ステップＳ５にて、表示部１６は、当該タブＴＢ２に対応する一覧を示す図６の一覧画面ＩＣＨを表示する。
【０１３２】
文字選択部１１６は、ステップＳ５にて表示部１６が一覧画面ＩＣＨを表示している間、四方向ボタンＤＩＲを押下する入力を入力部１５が利用者から受付けた場合、該押下された方向に応じて、一覧画面ＩＣＨのなかに示されているうちから絵文字や記号を選択する（ステップＳ７）。例えば、四方向ボタンＤＩＲを左方向に押下する入力を入力部１５が利用者から受付けた場合、文字選択部１１６は、一覧画面ＩＣＨにおいて現在選択されている文字の左隣に表示されている文字を選択する。
【０１３３】
すると、チャート算出部１１７は、文字選択部１１６が選択している文字に対応して表示完了率ＲＴを算出し、該表示完了率ＲＴを示すバーチャートＢＡＲの画像を生成し、該画像を一覧表示制御部１１４へ出力する（ステップＳ８）。すると、一覧表示制御部１１４は、チャート算出部１１７が出力してきたバーチャートＢＡＲを表示部１６に表示させる。
【０１３４】
また、ステップＳ７にて文字選択部１１６が絵文字や記号を選択している間に、該絵文字や記号を本文のなかに記述する文字として確定する入力を入力部１５が利用者から受付けた場合、確定部１１８は、文字選択部１１６が選択している絵文字や記号を文字入力画面ＷＮＤ内の編集領域ＥＤＴへ表示する絵文字や記号として決定する（ステップＳ９）。
【０１３５】
そして、確定部１１８は、文字入力画面ＷＮＤ内の編集領域ＥＤＴへ表示すると決定した絵文字や記号を表示部１６へ出力する。
【０１３６】
すると、表示部１６は、確定部１１８から出力されてきた絵文字や記号を、文字入力画面ＷＮＤ内の編集領域ＥＤＴへ表示する。
【０１３７】
また、一覧指示判別部１１１は、絵文字・記号入力モードＭＯＤを終了する入力を入力部１５が利用者から受付けたかどうかを判別している（ステップＳ１０）。
【０１３８】
絵文字・記号入力モードＭＯＤを終了する入力を受付けていないと一覧指示判別部１１１が判別した場合、一覧表示制御部１１４は、ステップＳ５にて、一覧画面ＩＣＨの画像データをＲＯＭ１２から読出し、該画像データを表示部１６へ出力する。すると、表示部１６は、一覧表示制御部１１４から出力されてきた一覧画面ＩＣＨの画像データを表示する。
【０１３９】
一方、絵文字・記号入力モードＭＯＤを終了する入力を受付けたと判別した場合、一覧指示判別部１１１は、一覧画面ＩＣＨの表示の終了を指示するための一覧表示終了指示を一覧表示制御部１１４へ出力する。
【０１４０】
すると、一覧表示制御部１１４は、一覧画面ＩＣＨの表示を終了させる信号を表示部１６へ出力する。この場合、表示部１６は、一覧画面ＩＣＨの表示を終了する。
【０１４１】
また、ステップＳ１０にて絵文字・記号入力モードＭＯＤを終了する入力を受付けたと判別した場合、一覧指示判別部１１１は、文書データの編集（この例では、電子メールの本文の作成）を終了する入力を入力部１５が利用者から受付けたかどうかを判別する（ステップＳ１１）。
【０１４２】
ステップＳ１１にて文書データの編集を終了する入力を受付けていないと判別した場合、文書データの編集が継続して行われる場合に相当する。そのため、一覧指示判別部１１１は、文字入力画面ＷＮＤの表示を指示するための編集指示を入力画面制御部１１２へ出力する。
【０１４３】
すると、入力画面制御部１１２は、図４に示す文字入力画面ＷＮＤの画像データをＲＯＭ１２から読出し、該文字入力画面ＷＮＤの画像データを表示部１６へ出力する。この場合、ステップＳ１にて、表示部１６は、図４に示した文字入力画面ＷＮＤの画像データを表示する。
【０１４４】
一方、電子メールの本文（文書データ）の編集を終了する入力を受付けたと判別した場合、一覧指示判別部１１１は、文字入力画面ＷＮＤの表示の終了を指示するための編集終了指示を入力画面制御部１１２へ出力する。
【０１４５】
すると、入力画面制御部１１２は、文字入力画面ＷＮＤの画像データの表示を終了させる信号を表示部１６へ出力する。この場合、表示部１６は、文字編集画面ＷＮＤの画像データの表示を終了する。
【０１４６】
以上説明したように、本発明によれば、一覧指示判別部１１１が絵文字・記号入力モードＭＯＤを選択する入力を受付けたと判別した場合、一覧表示制御部１１４は、特定の種類の文字（例えば、絵文字や全角記号や半角記号）の一覧それぞれを、当該種類ごとに割当てられたタブに分別して示した一覧画面ＩＣＨを、文字入力画面ＷＮＤのうちの編集領域ＥＤＴ全体と重複しない領域に表示する。これにより、一覧画面ＩＣＨにて入力可能な文字の種類を、利用者が一見して識別することが可能となる。
【０１４７】
その後、タブ選択部１１５は、タブのいずれかを選択する入力を利用者から入力部１５が受付けた場合、該入力に応じたタブを一覧画面ＩＣＨから選択する。すると、一覧表示制御部１１４は、タブ選択部１１５が選択したタブに割当てられた特定の種類の文字の一覧を、文字入力画面ＷＮＤのうちの編集領域ＥＤＴ全体と重複しない領域に表示する。
【０１４８】
これにより、小型化などの要求により配列されるキーの数が制限される携帯電話機などの携帯型電子装置において利用者が絵文字や記号を入力する場合でも、当該携帯型電子装置が具備する画面に表示されている文書データの編集を行う利用者の利便性を損なうことなく、当該特定の種類の文字の入力を受付けるための画面へ容易に切替えることができる。
【０１４９】
また、本発明によれば、チャート算出部１１７は、文字選択部１１６が選択している文字に対応して表示完了率ＲＴを算出し、当該表示完了率ＲＴを示すチャート（例えば、バーチャートＢＡＲ）の画像を生成し、該画像を一覧表示制御部１１４へ出力する。すると、一覧表示制御部１１４は、チャート算出部１１７が出力してきたチャートの画像をスクロールバーＳＣＲとともに、表示部１６に表示させる。
【０１５０】
これにより、絵文字・記号入力モードＭＯＤにて入力可能な文字の数が表示部１６の画面上に表示可能な文字の数より多い場合でも、選択中の一覧に含まれている文字すべてを表示する入力を利用者が四方向ボタンＤＩＲを直接操作して行うことなしに、選択中のタブに含まれている一覧のなかのどの位置に配列されている文字が表示されているかを利用者が直感的に認識し易くなる。
【０１５１】
なお、本発明の要旨を逸脱しない範囲で各種の変形が可能である。
【０１５２】
図４に示したソフトキーＳＦ３（絵記）を押下する入力を利用者から受付けた場合に表示される一覧画面ＩＣＨにおいて示すタブは、文字の種類ごとに割当てるものに限られない。例えば、一覧画面ＩＣＨ内のタブと特定の単語とを対応付けておき、該タブが選択された際に当該特定の単語から連想される単語候補の一覧である連想変換候補の一覧を表示するようにしてもよい。例えば、タブを「今日」という特定の単語に対応付けた場合、当該タブに対応する一覧には、「今日」という単語から想起される言葉や絵文字やデコレーションメールの絵文字などが含まれるように構成してもよい。
【０１５３】
また、タブＴＢ１〜ＴＢ６を選択する入力を行うためのキーはボタンＢ１とボタンＢ３とに限られない。例えば、四方向ボタンＤＩＲを左右いずれかの方向に押下する入力を入力部１５が利用者から受付けた場合、タブ選択部１１５は、該選択されているタブ（図５の例では、タブＴＢ１）に対して該押下された方向（例えば、右方向）に隣接して配置されているタブ（タブＴＢ２）を選択してもよい。
【０１５４】
なお、本発明においては、携帯電話機１内の処理は上述の専用のハードウェアにより実現されるもの以外に、その機能を実現するためのプログラムを携帯電話機１にて読取可能な記録媒体に記録し、この記録媒体に記録されたプログラムを携帯電話機１に読み込ませ、実行するものであってもよい。携帯電話機１にて読取可能な記録媒体とは、フロッピーディスク（登録商標）、光磁気ディスク、ＤＶＤ、ＣＤなどの移設可能な記録媒体の他、携帯電話機１に内蔵されたＨＤＤ等を指す。この記録媒体に記録されたプログラムは、例えば、携帯電話機１が有する制御部１１にて読み込まれ、制御部１１の制御によって、上述したものと同様の処理が行われる。
【０１５５】
ここで、携帯電話機１が有する制御部１１は、プログラムが記録された記録媒体から読み込まれたプログラムを実行するコンピュータとして動作するものである。
【０１５６】
以上、実施形態を参照して本発明を説明したが、本発明は上記実施形態に限定されるものではない。本発明の構成や詳細には、本発明の要旨を逸脱しない範囲で当業者が理解し得る各種の変形が可能である。
【図面の簡単な説明】
【０１５７】
【図１】本発明の実施形態に従った携帯電話機の外観を示す図である。
【図２】図１に示した携帯電話機の内部構成を示す図である。
【図３】図２に示した文字入力制御部の構成を示す図である。
【図４】絵文字・記号入力モードが選択されていない状態における文字入力画面の画面構成の一例を示す図である。
【図５】絵文字・記号入力モードが選択されている状態における文字入力画面の画面構成の第１の例を示す図である。
【図６】絵文字・記号入力モードが選択されている状態における文字入力画面の画面構成の第２の例を示す図である。
【図７】絵文字・記号入力モードが選択されている状態における文字入力画面の画面構成の第３の例を示す図である。
【図８】携帯電話機が文字の入力を利用者から受付けた際の動作を示すフローチャートである。
【図９】一般的な携帯電話機において表示される文字入力画面の画面構成の一例を示す図である。
【符号の説明】
【０１５８】
１  携帯電話機
１１  制御部
１１Ａ  文字入力制御部
１１Ｂ  他動作制御部
１１Ｃ  デコーダ／エンコーダ
１１１  一覧指示判別部
１１２  入力画面制御部
１１３  モード識別部
１１４  一覧表示制御部
１１５  タブ選択部
１１６  文字選択部
１１７  チャート算出部
１１８  確定部
１２  ＲＯＭ
１３  ＲＡＭ
１４  通信部
１５  入力部
１６  表示部
１７  マイク
１８  スピーカ
【図１】
2010093707.tif 000003
【図２】
2010093707.tif 000004
【図３】
2010093707.tif 000005
【図４】
2010093707.tif 000006
【図５】
2010093707.tif 000007
【図６】
2010093707.tif 000008
【図７】
2010093707.tif 000009
【図８】
2010093707.tif 000010
【図９】
2010093707.tif 000011